(57)【要約】      （修正有）【課題】生産・保守の効率を高めるとともに、シール構造により密封性能を向上させるドローンを提供する。【解決手段】上半部及び下半部を有する筐体と、上半部に位置し、それぞれモータ及びプロペラが設けられた複数のアームと、上部が取り外し可能に上半部の貫通孔内に接続され、かつ下部が下半部の取付溝内にはめ込まれるケースを備えるバッテリ手段２と、を含み、ケースは、ベース２１、ベース２１に接続される中間ケース２２、及び中間ケース２２に接続されるヘッドカバー２３を有し、ベース２１と中間ケース２２との間、及びヘッドカバー２３と中間ケース２２との間に何もシール構造が設けられ、筐体を着脱しない場合にバッテリアセンブリを直接着脱することができる。【選択図】図２
0003212711.tif 000002
【実用新案登録請求の範囲】
【請求項１】
上半部及び下半部を有する筐体と、
上半部に位置し、それぞれモータ及びプロペラが設けられた複数のアームとを含むドローンであって、
上部が取り外し可能に上半部の貫通孔内に接続され、かつ下部が下半部の取付溝内にはめ込まれるケースを備えるバッテリ手段を含み、前記ケースは、ベース、ベースに接続される中間ケース、及び中間ケースに接続されるヘッドカバーを有し、前記ベースと中間ケースとの間、及びヘッドカバーと中間ケースとの間に何もシール構造が設けられる
ことを特徴とするドローン。
【請求項２】
前記ヘッドカバーは、上半部の貫通孔に取り外し可能に接続される接続部材と、接続部材に取り外し可能に接続されるキャップとを含む
ことを特徴とする請求項１に記載のドローン。
【請求項３】
前記貫通孔の端部には係止溝が設けられ、前記接続部材には係止溝に係り合う係止ブロックが設けられ、前記係止ブロックが接続部材上に摺動して接続される
ことを特徴とする請求項２に記載のドローン。
【請求項４】
前記中間ケースの上部にはヘッドカバーを支持するための第１段差が設けられ、前記ヘッドカバーの下端が第１段差に嵌め合い、前記ヘッドカバーと中間ケースとの間のシール構造とは、段差にヘッドカバーの下端の内壁に当接する少なくとも１つシールリングが嵌め合うものである
ことを特徴とする請求項１に記載のドローン。
【請求項５】
前記中間ケースの下部には第２段差が設けられ、前記第２段差には断面がＬ形状のシール部材が当接され、前記ベースの上端部は、断面がＬ形状のシールリングに当接する
ことを特徴とする請求項１に記載のドローン。
【請求項６】
前記ヘッドカバー内にはバッテリスイッチボタン及び表示ランプが設けられ、前記ヘッドカバーにはバッテリスイッチボタン及び表示ランプに対応する貫通孔が設けられ、前記貫通孔には密封するためのシール部材が設けられる
ことを特徴とする請求項１に記載のドローン。
【考案の詳細な説明】
【技術分野】
【０００１】
本考案は、ドローンに関する。
【背景技術】
【０００２】
現在、市販のドローン内のバッテリは、ドローン内部に固定して設けられることが多く、ドローン筐体で固定されて密封されるため、生産・装着が不便であり、かつ筐体が損壊すると密封性が大幅に落ちる。
【考案の概要】
【０００３】
本考案は、バッテリ手段を着脱しやすく、かつ密封性が良好なドローンを提供することを目的とする。
本考案の技術案は、上半部及び下半部を有する筐体と、
上半部に位置し、それぞれモータ及びプロペラが設けられた複数のアームとを含むドローンであって、
【０００４】
上部が取り外し可能に上半部の貫通孔内に接続され、かつ下部が下半部の取付溝内にはめ込まれるケースを備えるバッテリ手段を含み、上記ケースは、ベース、ベースに接続される中間ケース、及び中間ケースに接続されるヘッドカバーを有し、上記ベースと中間ケースとの間、及びヘッドカバーと中間ケースとの間に何もシール構造が設けられるドローンを提供する。
好ましくは、上記ヘッドカバーは、上半部の貫通孔に取り外し可能に接続される接続部材と、接続部材に取り外し可能に接続されるキャップとを含む。
【０００５】
好ましくは、上記貫通孔の端部には係止溝が設けられ、上記接続部材には係止溝に係り合う係止ブロックが設けられ、上記係止ブロックが接続部材上に摺動して接続される。
【０００６】
好ましくは、上記中間ケースの上部にはヘッドカバーを支持するための第１段差が設けられ、上記ヘッドカバーの下端が第１段差に嵌め合い、上記ヘッドカバーと中間ケースとの間のシール構造とは、段差にヘッドカバーの下端の内壁に当接する少なくとも１つシールリングが嵌め合うものである。
【０００７】
好ましくは、上記中間ケースの下部には第２段差が設けられ、上記第２段差には断面がＬ形状のシールリングが当接され、上記ベースの上端部は、断面がＬ形状のシール部材に当接する。
【０００８】
好ましくは、上記ヘッドカバー内にはバッテリスイッチボタン及び表示ランプが設けられ、上記ヘッドカバーにはバッテリスイッチボタン及び表示ランプに対応する貫通孔が設けられ、上記貫通孔には密封するためのシール部材が設けられる。
好ましくは、上記ベース内にはいくつのバッテリが設けられ、上記中間ケース内にはバッテリに接続されるワイヤセット及び制御チップが設けられる。
【０００９】
以上の構造によれば、本考案のドローンは、従来技術に比べて、上記ケースの上部が取り外し可能に上半部の貫通孔内に接続され、かつ上記ケースの下部が下半部の取付溝内に嵌め込まれるため、筐体を着脱しない場合にバッテリアセンブリを直接着脱することができ、生産・保守の効率を大幅に高めるとともに、ケースを、ベース、ベースに接続される中間ケース及び中間ケースに接続されるヘッドカバーに分けられ、かつベースと中間ケースとの間に及びヘッドカバーと中間ケースとの間に何もシール構造が設けられることで、シール構造により密封性能を大幅に向上させるとともに、バッテリ手段の内部素子を階層的に保護できるというメリットを有する。
【図面の簡単な説明】
【００１０】
【図１】本考案のドローンを模式的に示す構成図である。
【図２】本考案のバッテリ手段を模式的に示す構成図である。
【図３】本考案のバッテリ手段を模式的に示す他の構成図である。
【図４】図３におけるＡ−Ａ線に沿った模式的な断面図である。
【図５】図４におけるＢ箇所の拡大図である。
【図６】図４におけるＣ箇所の拡大図である。
【考案を実施するための形態】
【００１１】
以下、図面及び具体的な実施例を参照しながら、本考案を詳細に説明する。
図１乃至図６に示されるように、本考案のドローンは、
上半部及び下半部を有する筐体と、
上半部に位置し、それぞれモータ及びプロペラが設けられた複数のアームとを含むドローンであって、
【００１２】
上部が取り外し可能に上半部の貫通孔内に接続され、かつ下部が下半部の取付溝内にはめ込まれるケースを備えるバッテリ手段を含み、上記ケースは、ベース、ベースに接続される中間ケース、及び中間ケースに接続されるヘッドカバーを有し、上記ベースと中間ケースとの間、及びヘッドカバーと中間ケースとの間に何もシール構造が設けられることを特徴とする。
【００１３】
上記ケースの上部が取り外し可能に上半部の貫通孔内に接続され、かつ上記ケースの下部が下半部の取付溝内に嵌め込まれるため、筐体を着脱しない場合にバッテリアセンブリを直接着脱することができ、生産・保守の効率を大幅に高めるとともに、ケースを、ベース、ベースに接続される中間ケース及び中間ケースに接続されるヘッドカバーに分けられ、かつベースと中間ケースとの間に及びヘッドカバーと中間ケースとの間に何もシール構造が設けられることで、シール構造により密封性能を大幅に向上させる。上記ベース内にはいくつのバッテリが設けられ、上記中間ケース内にはバッテリに接続されるワイヤセット及び制御チップが設けられることで、バッテリ手段の内部のバッテリ、ワイヤセット及び制御チップのそれぞれを階層的に保護できる。上記貫通孔の端部には係止溝が設けられ、上記接続部材には係止溝に係り合う係止ブロックが設けられ、上記係止ブロックが接続部材上に摺動して接続され、安定的に固定されるとともに、取り外されやすい。
【００１４】
上記ヘッドカバーは、上半部の貫通孔に取り外し可能に接続される接続部材と、接続部材に取り外し可能に接続されるキャップとを含むため、生産しやすいとともに、電子部品及び指示ランプは、キャップ上に固定されるため、機能区分しやすく、より生産しやすくなる。上記ヘッドカバー内にはバッテリスイッチボタン及び表示ランプが設けられ、上記ヘッドカバーにはバッテリスイッチボタン及び表示ランプに対応する貫通孔が設けられ、上記貫通孔には密封するためのシール部材が設けられ，シール部材は、バッテリスイッチボタン及び表示ランプを有効に密封することができ、バッテリスイッチボタン及び表示ランプの正常運転を保証する。
【００１５】
上記中間ケースの上部にはヘッドカバーを支持するための第１段差が設けられ、上記ヘッドカバーの下端が第１段差に嵌め合い、上記ヘッドカバーと中間ケースとの間のシール構造とは、段差にヘッドカバーの下端の内壁に当接する少なくとも１つシールリングが嵌め合うものであり、第１段差とシールリングとを併せて、比較的大きい密封面積を得られるとともに、受ける力が安定し変形しにくく、密封性も良好である。
【００１６】
上記中間ケースの下部には第２段差が設けられ、上記第２段差には断面がＬ形状のシールリングが当接され、上記ベースの上端部は、断面がＬ形状のシール部材に当接し、第２段差とシールリングとを併せて、かつ断面がＬ形状のシール部材であるため、シール部材の両端の構成がいずれも比較的大きい密封面積を得られるとともに、受ける力が安定し変形しにくく、密封性も良好である。
【００１７】
以上に説明したのは、本考案の好ましい実施的形態にすぎず、本考案の保護範囲は、上記実施例に限定されるものではなく、本考案の要旨に含まれる技術案は、全て本考案の保護範囲に含まれれる。説明すべきことは、当業者にとって、本考案の原理を逸脱しない範囲で多少改善及び補正を行う場合、これらの改善及び補正も本考案の保護範囲に含まれることは言うまでもない。
【符号の説明】
【００１８】
１  筐体、２  バッテリ手段、２１  ベース、２２  中間ケース、２３  ヘッドカバー、３  第１段差、４  シールリング、５  第２段差、６  シール部材
【図１】
0003212711.tif 000003
【図２】
0003212711.tif 000004
【図３】
0003212711.tif 000005
【図４】
0003212711.tif 000006
【図５】
0003212711.tif 000007
【図６】
0003212711.tif 000008
【手続補正書】
【提出日】平成29年8月6日(2017.8.6)
【手続補正１】
【補正対象書類名】明細書
【補正対象項目名】全文
【補正方法】変更
【補正の内容】
【考案の詳細な説明】
【技術分野】
【０００１】
本考案は、ドローンに関する。
【背景技術】
【０００２】
現状において、市販のドローンのバッテリは、ドローン内部に固定して設置されることが多く、ドローン筐体に固定して密封するため、生産・装着が不便であり、かつ筐体が損壊すると密封性が大幅に低下する。
【考案の概要】
【０００３】
本考案は、バッテリ手段を着脱しやすく、かつ密封性が良好なドローンを提供することを目的とする。
本考案にかかるドローンは、上半部及び下半部を有する筐体と、
上記上半部に位置し、それぞれにモータ及びプロペラが設けられた複数のアームとを含むドローンであって、
【０００４】
上部が取り外し可能に上記上半部の貫通孔に接続し、かつ下部が上記下半部の取付溝内にはめ込まれるケースを備えるバッテリ手段を含み、上記ケースは、ベース、上記ベースに接続する中間ケース、及び上記中間ケースに接続するヘッドカバーを有し、上記ベースと上記中間ケースとの間、及び上記ヘッドカバーと上記中間ケースとの間のいずれにもシール構造が設けられる。
上記ヘッドカバーは、上記上半部の貫通孔に取り外し可能に接続する接続部材と、上記接続部材に取り外し可能に接続するキャップとを含むことが好ましい。  
【０００５】
上記貫通孔の端部には係止溝が設けられ、上記接続部材には係止溝にひっかかる係止ブロックが設けられ、上記係止ブロックは上記接続部材上に摺動可能に接続されることが好ましい。  
【０００６】
上記中間ケースの上部には、上記ヘッドカバーを支持するための第１の段が設けられ、上記ヘッドカバーの下端が上記第１の段を覆い、上記ヘッドカバーと上記中間ケースとの間に設けられるシール構造は、上記第１の段に、上記ヘッドカバーの下端の内壁に当接する少なくとも１つシールリングを嵌合する構造であることが好ましい。
【０００７】
上記中間ケースの下部には第２の段が設けられ、上記第２の段には断面がＬ形状の部材が当接し、上記ベースの上端部は、上記断面がＬ形状のシール部材に当接することが好ましい。
【０００８】
上記ヘッドカバー内にはバッテリスイッチボタン及び表示ランプが設けられ、上記ヘッドカバーにはバッテリスイッチボタン及び表示ランプに対応する貫通孔が設けられ、上記貫通孔には密封用のシール部材が設けられることが好ましい。
上記ベース内にはいくつのバッテリが設けられ、上記中間ケース内にはバッテリに接続されるワイヤセット及び制御チップが設けられることが好ましい。
【０００９】
本考案のドローンは、上記ケースの上部が取り外し可能に上半部の貫通孔内に接続され、かつ上記ケースの下部が下半部の取付溝内に嵌め込まれるため、筐体を着脱しない場合、バッテリアセンブリを直接着脱することができ、生産・保守の効率を大幅に高めることができる。また、ケースは、ベース、ベースに接続する中間ケース及び中間ケースに接続するヘッドカバーに分けられる。そして、ベースと中間ケースとの間及びヘッドカバーと中間ケースとの間のいずれにもシール構造が設けられるため、シール構造により密封性能を大幅に向上させるとともに、バッテリ手段の内部素子を階層的に保護できるというメリットを有する。
【図面の簡単な説明】
【００１０】
【図１】本考案の一実施形態によるドローンを模式的に示す構成図である。
【図２】本考案の一実施形態によるバッテリ手段を模式的に示す構成図である。
【図３】本考案の他の実施形態によるバッテリ手段を模式的に示す構成図である。
【図４】図３のＡ−Ａ線の模式的な断面図である。
【図５】図４におけるＢの部分の拡大図である。
【図６】図４におけるＣの部分の拡大図である。
【考案を実施するための形態】
【００１１】
以下、図面及び実施例を参照して、本考案を詳細に説明する。
図１乃至図６に示されるように、本考案のドローンは、
上半部及び下半部を有する筐体と、
上半部に位置し、それぞれにモータ及びプロペラが設けられた複数のアームとを含むドローンであって、
【００１２】
上部が取り外し可能に上記上半部の貫通孔内に接続され、かつ下部が上記下半部の取付溝内にはめ込まれるケースを備えるバッテリ手段を含み、上記ケースは、ベース、上記ベースに接続する中間ケース、及び上記中間ケースに接続するヘッドカバーを有し、上記ベースと上記中間ケースとの間、及び上記ヘッドカバーと上記中間ケースとの間のいずれにもシール構造が設けられることを特徴とする。
【００１３】
上記ケースの上部が取り外し可能に上半部の貫通孔内に接続され、かつ上記ケースの下部が下半部の取付溝内に嵌め込まれるため、筐体を着脱しない場合、バッテリアセンブリを直接着脱することができ、生産・保守の効率を大幅に高めることができる。ケースは、ベース、ベースに接続する中間ケース及び中間ケースに接続するヘッドカバーに分けられる。そして、ベースと中間ケースとの間及びヘッドカバーと中間ケースとの間のいずれにもシール構造が設けられ、、シール構造により密封性能を大幅に向上させることができる。上記ベース内にはいくつのバッテリが設けられ、上記中間ケース内にはバッテリに接続するワイヤセット及び制御チップが設けられることにより、バッテリ手段の内部のバッテリ、ワイヤセット及び制御チップのそれぞれを階層的に保護できる。上記貫通孔の端部には係止溝が設けられ、上記接続部材には係止溝にひっかかる係止ブロックが設けられる。上記係止ブロックが接続部材上に摺動可能に接続され、安定的に固定され、取り外しやすい。
【００１４】
上記ヘッドカバーは、上半部の貫通孔に取り外し可能に接続する接続部材と、接続部材に取り外し可能に接続するキャップとを含む。このため、生産が容易で、電子部品及び指示ランプは、キャップ上に固定されるため、機能区分しやすく、より生産しやすくなる。上記ヘッドカバー内にはバッテリスイッチボタン及び表示ランプが設けられ、上記ヘッドカバーにはバッテリスイッチボタン及び表示ランプに対応する貫通孔が設けられ、上記貫通孔には密封用のシール部材が設けられる。シール部材は、バッテリスイッチボタン及び表示ランプを有効に密封でき、バッテリスイッチボタン及び表示ランプの正常運転を保証する。
【００１５】
上記中間ケースの上部にはヘッドカバーを支持するための第１の段が設けられ、上記ヘッドカバーの下端が上記第１の段を覆い、上記ヘッドカバーと上記中間ケースとの間のシール構造は、上記第１の段にヘッドカバーの下端の内壁に当接する少なくとも１つシールリングを嵌合させる構造である。第１の段とシールリングとを併せて、比較的大きい密封面積が得られるとともに、受ける力が安定で変形しにくく、密封性が良好である。
【００１６】
上記中間ケースの下部には第２の段が設けられ、上記第２の段には断面がＬ形状の部材が当接され、上記ベースの上端部は、上記断面がＬ形状のシール部材に当接する。第２の段とシール部材とを組み合せ、さらに、シール部材の断面がＬ形状であるため、シール部材の両端のいずれも比較的大きい密封面積を得られ、受ける力が安定して変形しにくく、密封性が良好である。
【００１７】
以上の説明は、本考案の好ましい実施的形態にすぎず、本考案の保護範囲は、上記実施形態に限定されるものではなく、本考案の技術的思想に含まれる構成は、全て本考案の保護範囲に含まれる。本考案の原理を逸脱しない範囲で改良及び変更を行う場合、これらの改良及び変更も本考案の保護範囲に含まれることは言うまでもない。
【符号の説明】
【００１８】
１  筐体、２  バッテリ手段、２１  ベース、２２  中間ケース、２３  ヘッドカバー、３  第１の段、４  シールリング、５  第２の段、６  シール部材
【手続補正２】
【補正対象書類名】実用新案登録請求の範囲
【補正対象項目名】全文
【補正方法】変更
【補正の内容】
【実用新案登録請求の範囲】
【請求項１】
上半部及び下半部を有する筐体と、
前記上半部に位置し、それぞれにモータ及びプロペラが設けられた複数のアームを含むドローンであって、
上部が取り外し可能に前記上半部の貫通孔に接続し、かつ下部が前記下半部の取付溝内にはめ込まれるケースを備えるバッテリ手段を含み、前記ケースは、ベース、前記ベースに接続する中間ケース、及び前記中間ケースに接続するヘッドカバーを有し、前記ベースと前記中間ケースとの間、及び前記ヘッドカバーと前記中間ケースとの間のいずれにもシール構造が設けられる、
ことを特徴とするドローン。
【請求項２】
前記ヘッドカバーは、前記上半部の貫通孔に取り外し可能に接続する接続部材と、前記接続部材に取り外し可能に接続するキャップとを含む、
ことを特徴とする請求項１に記載のドローン。
【請求項３】
前記貫通孔の端部には係止溝が設けられ、前記接続部材には係止溝にひっかかる係止ブロックが設けられ、前記係止ブロックが前記接続部材上に摺動可能に接続する、
ことを特徴とする請求項２に記載のドローン。
【請求項４】
前記中間ケースの上部には前記ヘッドカバーを支持するための第１の段が設けられ、前記ヘッドカバーの下端が前記第１の段を覆い、前記ヘッドカバーと前記中間ケースとの間に設けられるシール構造は、前記第１の段に、前記ヘッドカバーの下端の内壁に当接する少なくとも１つのシールリングを嵌合する構造である、
ことを特徴とする請求項１に記載のドローン。
【請求項５】
前記中間ケースの下部には第２の段が設けられ、前記第２の段には断面がＬ形状のシール部材が当接し、前記ベースの上端部は、前記断面がＬ形状のシール部材に当接する、
ことを特徴とする請求項１に記載のドローン。
【請求項６】
前記ヘッドカバー内にはバッテリスイッチボタン及び表示ランプが設けられ、前記ヘッドカバーにはバッテリスイッチボタン及び表示ランプに対応する貫通孔が設けられ、前記貫通孔には密封用のシール部材が設けられる、
ことを特徴とする請求項１に記載のドローン。
【手続補正４】
【補正対象書類名】図面
【補正対象項目名】全図
【補正方法】変更
【補正の内容】
【図１】
0003212711.tif 000009
【図２】
0003212711.tif 000010
【図３】
0003212711.tif 000011
【図４】
0003212711.tif 000012
【図５】
0003212711.tif 000013
【図６】
0003212711.tif 000014